(57)【要約】      （修正有）【課題】温度、湿度、紫外線などの外部環境情報、衣服内の温度、衣服内の湿度など衣服内環境情報、心拍数、体温、血中酸素量など身体生理情報、安打数、歩行距離、スイング速度などのプレー状況の情報を感知し、必要に応じて表示、確認することにより、安全に快適に、またレジャー性高く、ゴルフをプレーすることを可能としたゴルフウエアを提供すること。【解決手段】ウエアに、センサー、マイクロコンピューターおよびディスプレイが装備されており、かつ、センサー、マイクロコンピューターおよびディスプレイを稼動できるように配線が施されているゴルフウエア。【選択図】図３
2007056390.tif 000002
【特許請求の範囲】
【請求項１】
ウエアに、センサー、マイクロコンピューターおよびディスプレイが装備されており、かつ、センサー、マイクロコンピューターおよびディスプレイを稼動できるように配線が施されていることを特徴とするゴルフウエア。
【請求項２】
センサーにより感知され、マイクロコンピューターで変換されたデータが記憶される記憶媒体が装備され、なおかつプレー中およびプレー後に確認することができる様にセンサーがマイクロコンピューターおよび記憶媒体に配線されていることを特徴とする請求項１に記載のゴルフウエア。
【請求項３】
センサーが、外部環境情報を感知するためのセンサー、衣服内環境情報を感知するためのセンサー、身体生理情報を感知するためのセンサー、および、プレー状況の情報を感知できるセンサーから選ばれる少なくとも１つであることを特徴とする請求項１又は２に記載のゴルフウエア。
【請求項４】
ウエアを構成する繊維素材に特化機能が付与されていることを特徴とする請求項１〜３のいずれかに記載のゴルフウエア。
【発明の詳細な説明】
【技術分野】
【０００１】
本発明は通常プレー可能なゴルフウエアにセンサー、コンピューター及びディスプレイなどの情報関連機器を装備、配線することにより温度、湿度、紫外線などの外部環境情報、衣服内の温度、衣服内の湿度など衣服内環境情報、心拍数、体温、血中酸素量など身体生理情報、安打数、歩行距離、スイング速度などのプレー状況の情報を感知し、必要に応じて表示、確認することにより、安全に快適に、また、レジャー性たかく、ゴルフをプレーすることを可能としたゴルフウエアに関するものである。
【背景技術】
【０００２】
従来より、ゴルフウエアなどのスポーツ衣料においては、発汗時の汗の拡散性、及び、速乾性、寒冷時の保温性などの快適性を追求した機能素材、または、色柄、デザインを中心としたファッション性を価値判断基準として企画生産されていた。その理由としては、スポーツ競技においてはプレーを妨げない衣服が大前提であった（例えば、特許文献１参照。）。特にゴルフはメンタルスポーツで着用時の些細な違和感もプレーに影響するといわれていた。一方で、最近のＩＴ機器の発展進化は著しくセンサー、ディスプレイなども非常に小型化し性能も向上しコストも安価となった。その結果、工夫しだいでは衣服に縫合するなどして搭載してもプレーの妨げにならないことが可能になり、製造コスト的にも可能となってきている。
【特許文献１】特開平７−３４３０４号公報
【０００３】
また、近年スポーツ競技に対する、個人の価値観も多様化しており、特にゴルフ競技においては一般プレーヤーは競技に対する目的だけでなく、健康増進やレジャーを目的にプレーしている場合が増えてきた。健康増進を目的としたプレーの場合、プレー前後だけにとどまらず、プレー中の健康情報、環境情報については非常に興味が注がれる。また、健康状態が急に変化した場合、即座に対応する必要があるため、常に健康状態を確認できることが望ましい。また、安打数や、歩行距離、飛距離、スイング速度などのプレー状況の情報はアミューズメント情報としての価値が高く、プレー自体のレジャー性を高め、より楽しくプレーをすることが可能となる。しかしながら、現在のゴルフウエアにおいては、健康情報についてはわずかに紫外線の量の多寡により色が変わる製品が出ている程度であり、アミューズメント情報についてもプレーヤー独自がスコアを記録するにとどめる程度である。
【発明の開示】
【発明が解決しようとする課題】
【０００４】
本発明は従来技術にはない新しい機能を持ったゴルフウエアを製造することであり、その結果ゴルフウエアの既成概念を変え健康増進、娯楽性の双方について、新しい価値観で提供するものである。そのためには情報機器をゴルフウエアにシステムとして組込む機能内容の検討、及び、システムの作成などの基本設計の検討を行った。さらにウエアへの組込み手段、衣服としての見映えを損なわないなど情報処理機器の選定、小型化、衣服デザイン、縫製技術などのノウハウについて研究した。
【０００５】
本発明は、通常プレー可能なゴルフウエアに小型センサー、コンピューター及びディスプレイなどの情報関連機器を装備、配線することにより温度、湿度、紫外線などの外部環境情報、衣服内の温度、衣服内の湿度など衣服内環境情報、心拍数、体温、血中酸素量など身体生理情報、安打数、歩行距離、スイング速度などのプレー状況の情報を感知し、必要に応じて表示、確認することにより、安全に快適に、またレジャー性高く、ゴルフをプレーすることを可能としたゴルフウエアを提供することを課題とする。
【０００６】
本発明者らは上記課題を解決するため、鋭意研究した結果、遂に本発明を完成するに到った。本発明は外的環境情報、肉体的生理情報、及び、プレー中の技術情報、それらの情報の再現などのアミューズメント情報を表示するシステムを構築した。さらに、通常のゴルフウエアとしてファッション性にも満足度があり、また、プレーの際に何らの不都合も感じることなくプレーできるような衣服の縫製技術を駆使し完成させた。この両者の技術を組合せることにより実用に即した知的ゴルフウエアの完成となった。
【課題を解決するための手段】
【０００７】
即ち、本発明は以下の構成による。
１．  ウエアに、センサー、マイクロコンピューターおよびディスプレイが装備されており、かつ、センサー、マイクロコンピューターおよびディスプレイを稼動できるように配線が施されていることを特徴とするゴルフウエア。
２．  センサーにより感知され、マイクロコンピューターで変換されたデータが記憶される記憶媒体が装備され、なおかつプレー中およびプレー後に確認することができる様にセンサーがマイクロコンピューターおよび記憶媒体に配線されていることを特徴とする上記第１に記載のゴルフウエア。
３．  センサーが、外部環境情報を感知するためのセンサー、衣服内環境情報を感知するためのセンサー、身体生理情報を感知するためのセンサー、および、プレー状況の情報を感知できるセンサーから選ばれる少なくとも１つであることを特徴とする上記第１または第２に記載のゴルフウエア。
４．  ウエアを構成する繊維素材に特化機能が付与されていることを特徴とする上記第１〜第３のいずれかに記載のゴルフウエア。
【発明の効果】
【０００８】
本発明によりゴルフウエアの価値観を大きく変えることが可能である。従来は色柄デザインを中心としたファッション性に関する満足度、寒冷時の保温性、暑熱時の吸水速乾性などによる素材の快適性を中心とした価値観が中心であった。しかし、今回の発明によりプレー中の個々の記録がデータとして表示されることによりプレー中の会話が弾み娯楽性の強いスポーツであるゴルフの娯楽性がさらに増す効果がある。さらに、データが記録、保存されプレー後にも再現できる。それらの情報は、従来の写真やビデオ記録と共にさらにアミューズメント性を増すことができる。また、ゴルフをスポーツとして位置付けるプレーヤーに対しても、技術的データの詳しい蓄積や解析に利用できる。また再プレー時の補足情報、比較情報としても利用でき、プレーに対する技術的向上心を増すことが可能であり、プレーの過程にいたる、より強い満足度を与える効果がある。さらに健康増進を目的とするプレーヤーに対しても温湿度などの環境条件、心拍数、血圧などの生理情報などが得られ、緊急時のケアが必要なプレ−ヤーに対しても早急に対応が可能となるため、プレー中に安心感が得られる。
【発明を実施するための最良の形態】
【０００９】
以下、本発明を詳細に説明する。
本発明のウエア本体としては通常の繊維素材が使用される。この場合の通常の繊維素材とは、ポリエステル系繊維、ナイロン系繊維、アクリル系繊維、ポリウレタン系繊維、ポリオレフィン系繊維等の合成繊維、レーヨン、アセテート等の半合成繊維、綿、ウール、麻、シルク等の天然繊維、また資材用に用いられるアラミド繊維等の高強力繊維、などがあげられる。また、いずれの場合でも短繊維でも長繊維でもよく、複合紡績糸となったものでもよい。繊維素材の構成としては、織物でも編物でもよい。先にのべた繊維のうちより、１種から構成されていてもいいし、数種の組あわせにより構成されていてもよい。
【００１０】
また、これらのウエアの繊維素材には、特化機能が付与されていてもよい。ゴルフウエアとして使用される環境により、さまざまな特化機能が必要とされる。夏用ウエアとしては、吸水速乾燥機能、吸放湿機能、透け防止機能、ＵＶカット機能などが、冬用ウエアとしては、防風機能、遠赤外反射機能、吸湿発熱機能などが、天候の変化に対応するために、撥水機能、透湿防水機能などが、また取り扱い性や着用性、快適性を得るために、防汚機能、ウォッシャブル機能、抗菌防臭機能、ストレッチ機能、そして各種ヒーリング機能、などが上げられる。これらは、数種類の組み合わせでも良く、素材の持つ機能を利用することでも可能であるし、後加工により付与することも可能である。
【００１１】
これらのウエアには、センサー、マイクロコンピューター、およびディスプレイが装備されていることが好ましい。センサーとしては、温度センサー、湿度センサー、光センサー、脈拍センサー、血圧センサー、血中酸素量センサー、加速度センサー、衝撃センサー、速度センサー、ＧＰＳレシーバー  などの様々なセンサーを搭載することが可能である。これらのセンサーは単体での使用、また組み合わせにより、外部環境情報、衣服内環境情報、身体生理情報および、プレー状況の情報を感知することができる。また、これらのセンサーは、着用時に作業性を損なわぬよう、小さく軽量であることが望ましい。各センサーはウエア本体に搭載され、装備されていてもよいが、例えばリストバンドなど別パーツに搭載され装備されていても構わない。
【００１２】
また、これらのセンサーは、無線および有線により、マイクロコンピューターおよびディスプレイに配線されている必要がある。このことにより、これらのセンサーにより得られた情報が機能的に統合され、有意義な情報を正確に得ることが可能となる。
【００１３】
これらのウエアに装備されるマイクロコンピューターとしては、センサーからの情報を計算、演算、統合し、プレ−ヤーが見やすくなおかつ取り扱いやすい形に変換し、またそれらの情報を、ディスプレイに表示したり、記憶媒体に保存するための役割を果たす。上記機能を処理できるマイクロコンピューターであれば、いずれの形状の物でもよいが、小型で軽量の物が望ましい。
【００１４】
ウエアに装備されるディスプレイも、必要な情報を表示できる機能を持っておれば、どのような形状でもよいが、小型で軽量の物が望ましい。液晶タイプや、フィルム状のタイプや、メガネ等に映し出すタイプでも良い。またＥＬ素子を使ったタイプの物でもかまわない。
【００１５】
これら、ウエアに装備されるマイクロコンピューターおよび、ディスプレイは、別々にパッケージされ配線されていてもいいし、同一のパッケージにコンパクトにまとめられていても良い。また市販のＰＤＡを利用しても良い。
【００１６】
センサーにより計測された数値はマイクロコンピューターにより、計算、演算、統合され、取り扱いやすい形に変換される。これらは、プレー中およびプレー後に確認することができる。そのため、マイクロコンピューターは記録媒体に配線されていることが望ましい。記録媒体としては、基本的に形式は問わないが、コンパクト性を考えると、ＵＳＢメモリーやＣＦカード、ＳＤカードなどの小型メモリー媒体や内蔵ハードディスク、小型の光ディスクなどが望ましい。
【００１７】
以上のシステムにより、確認、保存できる情報としては、温度、湿度、紫外線などの外部環境情報、衣服内の温度、衣服内の湿度など衣服内環境情報、心拍数、体温、血中酸素量など身体生理情報、安打数、歩行距離、スイング速度などのプレー状況の情報などがあげられる。これらの情報のうち、単独の情報を得るシステムでも、複数の情報を得るシステムでも使用については問題ない。いずれの情報を必要とするかは、ウエアを使用するプレーヤーの目的により変わってくる。また、情報の内容、数量により、装備するセンサーの数も変わってくる。
【実施例】
【００１８】
次に実施例を用いて、本発明を具体的に説明する。
【００１９】
（実施例１）
ウエアの生地としては、通常のゴルフウエアに使用されるポリエステル１００％のニット（吸水加工品）を使用し、上着を作成した。図１及び図２にウエアのデザインとセンサー、マイクロコンピューター、ディスプレイの配置を記す。また、図３にセンサー、マイクロコンピューター、ディスプレイの配線を表す模式図を記す。
【００２０】
この上着には、通常のゴルフウエアと違い、各部にセンサーを収納するポケットを準備し、配線が問題なく行われ、また着用時にプレーの妨げになったり、配線不良をおこさないよう、縫製部等に筒状の配線路を作成した。このウエアには、以下のセンサー、マイクロコンピューター、およびディスプレイを装備した。スイングセンサーについては、リストバンドで補助し、手首部に安定させるようにした。生理センサーについては、指輪型センサーを薬指に付け、ウエアのレシーバーへデータを送信する方式とした。
【００２１】
(1)スイングセンサー
衝撃センサー：ＰＫＳ１−４Ａ１  村田製作所製
加速度センサー：３Ｄモーションセンサー（ＭＤＰ−Ａ３Ｕ７）  ＮＥＣトーキン社製
(2)温湿度センサー（衣服外側）
温度センサー：ＬＭ３５    Ｎａｔｉｏｎａｌ  Ｓｅｍｉｃｏｎｄｕｃｔｏｒ社製
湿度センサー：ＣＨＳ−ＵＰＲ    ＴＤＫ社製
(3)温湿度センサー（衣服内側）
温度センサー：ＬＭ３５    Ｎａｔｉｏｎａｌ  Ｓｅｍｉｃｏｎｄｕｃｔｏｒ社製
湿度センサー：ＣＨＳ−ＵＰＲ    ＴＤＫ社製
(4)マイクロコンピューター、ディスプレイ
ＰＤＦ：Ｇｅｎｉｏ  ｅ８３０Ｗ    ＴＯＳＨＩＢＡ社製
(5)ＧＰＳレシーバー
カードスロット対応ＳＰＳレシーバー：ＳＤＧＰＳ    Ｉ・Ｏ  ＤＡＴＡ社製
(6)生理センサー
テレメトリー指輪型パルスオキシメータ（ＡＤ７０１０）    エム・シー・メディカル株式会社製
【００２２】
これらにより、作成されたウエアを着用し、広場に作成した仮説ゴルフコースにてプレーを実施し、このウエアの効果を確認した。衣服内温度、衣服内湿度、環境温度、環境湿度については、温湿度センサーからのデータ、血中酸素量、脈拍数については、生理センサーからのデータ、スイングスピード、最高速度到達点、打撃点については、スイングセンサーからのデータ、歩行距離、飛距離、残り距離については、ＧＰＳレシーバーからのデータとあらかじめ入力しておいたコース情報より、それぞれ算出して記録および表示した。
【００２３】
図４〜図８に実際のプレー時のディスプレイ画面を示す。このディスプレイ画面には、ボールを打った時の、衣服内温度、衣服内湿度、環境温度、環境湿度といった環境情報、血中酸素量（ＳｐＯ２）、脈拍数といった身体生理情報、スイングスピード（加速度センサヘッドスピード）および最高速度到達点、打撃点、歩行距離（積算移動距離）、飛距離、残り距離といったプレー状況の情報が示され、プレーヤーにより確認された。またこれらのデータは、コンピューターに搭載されたメモリに記録され、プレー後いつでも確認できる様にした。これらのデータからプレーヤーが快適な環境で、健康的にプレーしていることがわかる。また、飛距離や移動距離、ヘッドスピード等のデータにより、プレーヤーの運動状況や、それぞれの打撃がうまくいっているかどうかが視覚的にわかりやすくとらえられる。
【００２４】
図９にホールをラウンドしている最中の衣服内温度、衣服内湿度、環境温度、環境湿度といった環境情報、血中酸素量（ＳｐＯ２）、脈拍数といった身体生理情報のデータのグラフを示す。これらのデータから、ラウンドに際し若干脈拍は上がっていくものの、プレーヤーが快適な環境で健康的に活動していることが確認できる。これらのデータも、コンピューターに搭載されたメモリに記録され、プレー後いつでも確認できるようにした。これらのウエアを使用することによる、作業性の不便さ、不快性などの悪影響はなく、従来のウエアと同等のプレーができた。
【００２５】
（実施例２）
ウエアの生地としては、通常のゴルフウエアに使用されるポリエステル１００％織物（撥水加工品）を使用し、ベストを作成した。図１０及び図１１にウエアのデザインとセンサー、マクロコンピューター、ディスプレイの配置を記す。この上着には、通常のゴルフウエアと違い、各部にセンサーを収納するポケットを準備し、配線が問題なく行われ、また着用時にプレーの妨げになったり、配線不良をおこさないよう、縫製部等に筒状の配線路を作成した。このウエアにも、実施例１と同様に以下のセンサー、マイクロコンピューター、およびディスプレイを装備させた。スイングセンサーについては、リストバンドで補助し、手首部に安定させるようにした。配線については、フィルムにより防水処理をしたシールドを肩口から直接スイングセンサーへ配線した。生理センサーについては、指輪型センサーを薬指に付け、ウエアのレシーバーへデータを送信する方式とした。
【００２６】
(1)スイングセンサー
衝撃センサー：ＰＫＳ１−４Ａ１  村田製作所製
加速度センサー：３Ｄモーションセンサー（ＭＤＰ−Ａ３Ｕ７）  ＮＥＣトーキン社製
(2)温湿度センサー（衣服外側）
温度センサー：ＬＭ３５    Ｎａｔｉｏｎａｌ  Ｓｅｍｉｃｏｎｄｕｃｔｏｒ社製
湿度センサー：ＣＨＳ−ＵＰＲ    ＴＤＫ社製
(3)温湿度センサー（衣服内側）
温度センサー：ＬＭ３５    Ｎａｔｉｏｎａｌ  Ｓｅｍｉｃｏｎｄｕｃｔｏｒ社製
湿度センサー：ＣＨＳ−ＵＰＲ    ＴＤＫ社製
(4)マイクロコンピューター、ディスプレイ
ＰＤＦ：Ｇｅｎｉｏ  ｅ８３０Ｗ    ＴＯＳＨＩＢＡ社製
(5)ＧＰＳレシーバー
カードスロット対応ＳＰＳレシーバー：ＳＤＧＰＳ    Ｉ・Ｏ  ＤＡＴＡ社製
(6)生理センサー
テレメトリー指輪型パルスオキシメータ（ＡＤ７０１０）    エム・シー・メディカル株式会社製
(7)シールド
【００２７】
これらにより、作成されたウエアを着用し、広場に作成した仮説ゴルフコースにてプレーを実施し、このウエアの効果を確認した。このベスト型のウエアについても、実施例１同様、環境情報、身体生理情報、プレー状況の情報を表示、保存することが可能であり、また、従来のウエアと同等に支障なくプレーすることができることを確認した。
【産業上の利用可能性】
【００２８】
本発明により通常プレー可能なゴルフウエアに新しい機能を具備させることが可能となった。その新しい機能とは、環境情報、身体生理情報、プレー状況の情報を感知（計測）、保存、確認するという機能である。これらの機能を具備させたことにより、従来にまして、安全に快適にまた、レジャー性高くゴルフをプレーすることを可能とした。
【図面の簡単な説明】
【００２９】
【図１】ウエアのデザイン（正面）の一例を示す。
【図２】ウエアのデザイン（背面）の一例を示す。
【図３】センサー、マクロコンピューター、ディスプレイの配線模式図の一例を示す。
【図４】プレー時のディスプレイ画面の一例（一打目）を示す。
【図５】プレー時のディスプレイ画面の一例（二打目）を示す。
【図６】プレー時のディスプレイ画面の一例（三打目）を示す。
【図７】プレー時のディスプレイ画面の一例（四打目）を示す。
【図８】プレー時のディスプレイ画面の一例（五打目）を示す。
【図９】身体生理情報を表すグラフの一例を示す。
【図１０】ウエア（ベスト）のデザイン（正面）の一例を示す。
【図１１】ウエア（ベスト）のデザイン（背面）の一例を示す。
【符号の説明】
【００３０】
(1)スイングセンサー
(2)温湿度センサー（衣服外側）
(3)温湿度センサー（衣服内側）
(4)マイクロコンピューター、ディスプレイ
(5)ＧＰＳレシーバー
(6)生理センサー
(7)シールド
【図１】
2007056390.tif 000003
【図２】
2007056390.tif 000004
【図３】
2007056390.tif 000005
【図４】
2007056390.tif 000006
【図５】
2007056390.tif 000007
【図６】
2007056390.tif 000008
【図７】
2007056390.tif 000009
【図８】
2007056390.tif 000010
【図９】
2007056390.tif 000011
【図１０】
2007056390.tif 000012
【図１１】
2007056390.tif 000013